(57)【要約】  本発明は、脱毛器用アタッチメント、又は、脱毛器であって、中央心棒軸の周りの駆動運動のために配置された心棒と、心棒とともの回転のために心棒の第１の端部にて配置され、少なくとも第１の機能面を有する端板と、機能面を有する第１のクランプ要素と、を有し、端板の第１の機能面は、第１の可動クランプ要素の機能面と対面して配置され、第１の可動クランプ要素は、端板の方に、かつ、その端板から離れるように繰り返し移動されるように配置され、これにより、繰り返し、２つの機能面が互いに当接する閉位置が取得されるようになっており、端板は、脱毛器、又は、脱毛器用アタッチメントの外側部品である、脱毛器用アタッチメント、又は、脱毛器に関する。
2016515457.tif 000002
【特許請求の範囲】
【請求項１】
顔処理キットであって、
第１のアタッチメント（８０Ａ）であって、
第１のハウジング（８３）、及び回転又は揺動駆動式のブラシ（９０）を含む、第１のアタッチメント（８０）と、
第２のアタッチメント（１０）であって、第２のハウジング（１５）、及びクランプヘッド（１００）を有する回転駆動式の顔脱毛器を含み、
前記クランプヘッド（１００）は、前記第２のハウジング（１５）の第１の横方向側部（１４）にて毛髪を脱毛するように配設されている第２のアタッチメント（１０）と、を含み、
前記第１及び第２のアタッチメント（１０、８０Ａ）は、それぞれ、アタッチメント心棒を更に含み、
前記顔処理キットは更に、ハンドルハウジング（２３）及び駆動装置（３１）を含むハンドル（２０）を備え、
前記ハンドル（２０）は、前記駆動装置（３１）の駆動軸（３２）を、前記それぞれの第１若しくは第２のアタッチメント、又は、他のアタッチメント（８０Ａ、１０、８０Ｂ、８０Ｃ）のうちの１つのアタッチメント心棒（４０）と連結する歯車装置（３３）を含み、
前記ハンドル（２０）は、エネルギー源（３０）を更に含み、
前記ハンドル（２０）及び前記第１及び第２のアタッチメント（８０Ａ、１０）は、それぞれ、前記第１及び第２のアタッチメント、又は、他のアタッチメント（８０Ａ、１０、８０Ｂ、８０Ｃ）のうちの１つを前記ハンドル（２０）と取り外し可能に連結するスナップ要素（２５、１８）を更に含み、
前記ハンドル（２０）は、オン／オフスイッチ（２１）を更に含み、
前記オン／オフスイッチ（２１）は、前記ハンドル（２０）及び前記第２のアタッチメント（１０）の両方が互いに連結される前記第２のハウジング（１０）の前記第１の横方向側部（１４）と同じ前記ハンドルハウジング（２３）の第１の横方向側部（２４）に位置付けられている、顔処理キット。
【請求項２】
前記第１のアタッチメントの前記ブラシは、前記ハンドル及び前記第１のアタッチメントの両方が互いに連結される前記ハンドルハウジングの前記第１の横方向側部と同じである前記第２のハウジングの第１の横方向側部にてブラッシング用に配設されている、請求項１に記載のキット。
【請求項３】
第３のアタッチメントには、第３のハウジング、及び、前記ハンドル及び前記第３のアタッチメントの両方が互いに連結される前記ハンドルハウジングの前記第１の横方向側部と同じである前記第３のハウジングの第１の横方向側部にてマッサージ用に配設されている、回転又は揺動駆動式のマッサージ要素が設けられている、請求項１又は２に記載のキット。
【請求項４】
第４のアタッチメントには、第４のハウジング、及び、前記ハンドル及び前記第４のアタッチメントの両方が互いに連結される前記ハンドルハウジングの前記第１の横方向側部と同じである前記第４のハウジングの第１の横方向側部にて角質除去用に配設されている、回転又は揺動駆動式の角質除去要素が設けられている、請求項１〜３の少なくとも一項に記載のキット。
【請求項５】
前記第２のアタッチメントの前記クランプヘッドは、前記クランプヘッドの側部を覆う保護キャップを含む、請求項１〜４の少なくとも一項に記載のキット。
【請求項６】
前記保護キャップは、前記第２のハウジングの前記第１の横方向側部と反対側の前記第２のハウジングの第２の横方向側部に配設されている、請求項１〜５の少なくとも一項に記載のキット。
【請求項７】
前記ハンドルハウジング及び前記第２のハウジングは、前記ハンドル及び前記第２のアタッチメントが互いに連結されるそれぞれの第１の横方向側部にて凸状の外側曲線を含む、請求項１〜６の少なくとも一項に記載のキット。
【請求項８】
前記第２のハウジングは、管状である、請求項１〜７の少なくとも一項に記載のキット。
【請求項９】
前記ハンドルハウジングは、管状である、請求項１に記載のキット。
【請求項１０】
前記第１のアタッチメントは、前記ブラシを前記第１のハウジングから取り外し可能に解放する解放ボタンを含む、請求項１〜９の少なくとも一項に記載のキット。
【請求項１１】
前記第１のハウジングは、前記ブラシの横方向側部を包含する、請求項１〜１０の少なくとも一項に記載のキット。
【請求項１２】
前記第１のアタッチメントの前記アタッチメント心棒は、第１のアタッチメント中央心棒軸の周りの運動のために配設されており、前記ブラシは、ブラシ中央心棒軸の周りの運動のために配設されており、前記第１のアタッチメント中央心棒軸及び前記ブラシ中央心棒軸は、１００〜１６０°、任意選択的に１１０〜１４０°の範囲の角度を包含する、請求項１〜１１の少なくとも一項に記載のキット。
【請求項１３】
前記第２のアタッチメントの前記クランプヘッドは、中央心棒軸の周りの駆動運動のために配設されており、前記ハンドルは、前記ハンドル及び前記第２のアタッチメントの両方が互いに連結される前記中央心棒軸に対して傾斜される保持軸を画定する、請求項１〜１２の少なくとも一項に記載のキット。
【請求項１４】
前記ハンドルの前記駆動装置の前記駆動軸は、前記中央心棒軸に沿って延在するか、又は、前記ハンドル及び前記第２のアタッチメントの両方が互いに連結される前記中央心棒軸に平行に延在する、請求項１〜１３の少なくとも一項に記載のキット。
【請求項１５】
前記エネルギー源は、バッテリであり、その細長い方向に長手方向軸を含み、前記長手方向軸は、前記駆動装置の前記駆動軸に対して傾斜される、請求項１〜１４の少なくとも一項に記載のキット。
【発明の詳細な説明】
【技術分野】
【０００１】
本発明は、脱毛器用アタッチメント、又は毛髪をクランプするクランプヘッドを有する脱毛器に関する。
【背景技術】
【０００２】
脱毛器、クランプ要素が顔面皮膚の小さい領域の正確な処理のために脱毛器のハウジング縁部近傍に配置される、特に顔の脱毛に好適な脱毛器が提供され得ることが知られている。そのような脱毛器が、文書欧州特許第０  ６０１  ００３  Ａ１号で一般的に説明されている。
【先行技術文献】
【特許文献】
【０００３】
【特許文献１】欧州特許第０  ６０１  ００３  Ａ１号
【発明の概要】
【発明が解決しようとする課題】
【０００４】
本開示の目的は、特に正確な顔の脱毛に好適であり、かつ、既知の装置と比較して改善されている脱毛器又は脱毛器用アタッチメントを提供することである。
【課題を解決するための手段】
【０００５】
一態様により、第１のアタッチメントであって、第１のハウジング、及び回転又は揺動駆動式のブラシを含む、第１のアタッチメントと、第２のアタッチメントであって、第２のハウジング、及びクランプヘッドを有する回転駆動式の顔脱毛器を含み、クランプヘッドは、第２のハウジングの第１の横方向側部にて毛髪を脱毛するように配置されている第２のアタッチメントと、を含み、第１及び第２のアタッチメントは、それぞれ、アタッチメント心棒を更に含み、顔処理キットは更に、ハンドルハウジング及び駆動装置を含むハンドルを備え、ハンドルは、駆動動装置の駆動軸を、それぞれの第１若しくは第２のアタッチメント、又は、他のアタッチメントのうちの１つのアタッチメント心棒と連結する歯車装置を含み、ハンドルは、エネルギー源を更に含み、ハンドル及び第１及び第２のアタッチメントは、それぞれ、第１及び第２のアタッチメント、又は、他のアタッチメントのうちの１つをハンドルと取り外し可能に連結するスナップ要素を更に含み、ハンド領域は、オン／オフスイッチを更に含み、オン／オフスイッチは、ハンドル及び第２のアタッチメントの両方が互いに連結される第２のハウジングの第１の横方向側部と同じハンドルハウジングの第１の横方向側部に位置付けられている、顔処理キットを提供する。
【図面の簡単な説明】
【０００６】
本開示を、特に図を参照して、脱毛器用アタッチメント、又は、脱毛器の例示的な実施形態の詳細な説明により更に説明する。図面中、
【図１Ａ】アタッチメントを含む脱毛器の例示的な実施形態の描写である。
【図１Ｂ】図１Ａに示すような脱毛器の中心を通って切断された長手方向の横断面図である。
【図２Ａ】脱毛器用アタッチメントの例示的な実施形態の描写である。
【図２Ｂ】図２Ａに示すような、長手方向に切断されたむき出しの脱毛器用アタッチメントを示す。
【図３Ａ】本開示によるクランプヘッドの例示的な実施形態の斜視図である。
【図３Ｂ】図３Ａに示すクランプヘッドの分解図である。
【図３Ｃ】図３Ａに示すような長手方向に切断されたむき出しのクランプヘッドの描写である。
【図４】本開示による脱毛器、又は、脱毛器用アタッチメント内で使用され得るような端板の斜視図である。
【図５】本開示による脱毛器、又は、脱毛器用アタッチメント内で使用され得るようなセンタプレートの斜視図である。
【図６】本開示による脱毛器、又は、脱毛器用アタッチメントにおいて使用され得るような一体要素として実現されたクランプ要素及び関連のアクチュエータの斜視図である。
【図７】本開示による脱毛器、又は、脱毛器用アタッチメントにおいて使用され得るような閉鎖要素の斜視図である。
【図８】本開示による脱毛器用脱毛器、又は、アタッチメントにおいて使用され得るような圧力板の斜視図である。
【図９Ａ】心棒が時計回りに回転する状態でハウジング内に取り付けられた圧力板の正面図である。
【図９Ｂ】心棒が反時計回りに回転する状態でハウジング内に取り付けられた圧力板の正面図である。
【図１０】図１による、連結された第１、第３、又は、第４のアタッチメントを有するハンドルの概略側面図である。
【図１１】図１による、連結された第２のアタッチメントを有するハンドルの概略側面図である。
【図１２Ａ】図１０の構成によるブラシ処理部材の概略側面図である。
【図１２Ｂ】図１０の構成によるマッサージ処理部材の概略側面図である。
【図１２Ｃ】図１０の構成による角質除去処理部材の概略側面図である。
【発明を実施するための形態】
【０００７】
以下では、一組の全く同じか、又は、少なくとも類似の特徴部に使用され得る用語を導入する。例えば、用語「クランプ要素」を使用する。個々のクランプ要素は、その後、「第１のクランプ要素」、「第２のクランプ要素」、又は、「第１の更なるクランプ要素」、「第２の更なるクランプ要素」などと名称されることになり、一方、第１の、第２のなどクランプ要素、並びに、任意の更なるクランプ要素を含む群に「クランプ要素類」と呼ばれることになる。
【０００８】
以下は、脱毛器、又は、脱毛器用アタッチメントの例示的な実施形態の詳細な説明を表し、論じる実施形態の１つにおいて共に示す特徴部は、図示する組立体において単に開示されると必ずしも意図されると解釈するべきではないことに留意されたい。当業者は、当然、これが本開示の趣旨及び範囲と矛盾しない限り、本開示による脱毛器又は脱毛器用アタッチメントの特定の実現について関連がある特徴部のみが共に開示されると考えてその他を廃棄するであろう。これは、全ての特徴部は個々に開示されるとみなすべきであり、２つの以上の特徴部を例示的な実施形態のいずれかの１つにおいて共に説明することによっていかなる強制的な関係も意図されてはいないことを意味するものとする。
【０００９】
図に示す例示的な実施形態は、クランプ要素類などの特定の数の特定の特徴部を有するが、本開示による脱毛器、又は、脱毛器用アタッチメントは、例えば、１つのクランプ要素のみを有し得、２つ、又は、任意の他の数のクランプ要素類などを有し得ることに更に留意されたい。
【００１０】
詳細な説明を図を参照して提示する前に、脱毛器、又は、脱毛器用アタッチメントのより一般的な説明が、次に来ることになる。先の「課題を解決するための手段」のセクションで開示するような顔処理を参照する。オンオフボタン、及びクランプヘッドの能動脱毛領域をハウジングの同じ横方向側部上に有することが、人間工学的に顔の脱毛中の取り扱いを容易にすることがわかった。顔用脱毛器は、クランプヘッドの周縁部全体で使用され得、一方、ハンドルのハウジングは、特定の取り扱い位置について最適化される。オン／オフスイッチは親指によって操作されることになるので、ユーザは、また、顔用クランプヘッドを、ハウジング形状に人間工学的に適合した位置で違和感なく取り扱うことが可能になる。この取り扱い上の快適さは、キットが更なる皮膚処理アタッチメントを含むときに更に増大することになる。係合されて（任意の解放ボタンなしで）ハンドルからアタッチメントを単に引くことによって解除され得るハンドルとアタッチメントと間のスナップ嵌め接続部によって、取り扱いが更に容易になる。オン／オフスイッチは、その後、アタッチメントリリースボタンと誤解され得ない。
【００１１】
ハンドル及び第１のアタッチメントの両方が互いに連結されるハンドルハウジングの第１の横方向側部と同じである第２のハウジングの第１の横方向側部にて、第１のアタッチメントのブラシがブラッシング用に配置されることによって、ユーザは、（顔の脱毛の場合と同じであるので）正しくハンドルを保持するように更に案内されることになる。
【００１２】
有利なことに、第３のアタッチメントには、第３のハウジング、及び、ハンドル及び第３のアタッチメントの両方が互いに連結されるハンドルハウジングの第１の横方向側部と同じである第３のハウジングの第１の横方向側部にてマッサージ用に配置される、回転又は揺動駆動式のマッサージ要素が設けられる。
【００１３】
更に有利なことに、第４のアタッチメントには、第４のハウジング、及び、ハンドル及び第４のアタッチメントの両方が互いに連結されるハンドルハウジングの第１の横方向側部と同じである第４のハウジングの第１の横方向側部にて角質除去用に配置される、回転又は揺動駆動式の角質除去要素が設けられる。
【００１４】
クランプヘッドの側面を覆う保護キャップを含む第２のアタッチメントのクランプヘッドを有するとき、ユーザは、更に、脱毛用にアクセス可能であるその方向でのみクランプヘッドを使用するように案内される。保護キャップはまた、他の望ましくない毛髪が脱毛されるのを回避する。保護キャップは、上記の第２のハウジングの第１の横方向側部と反対側である第２のハウジングの第２の横方向側部にて配置される。
【００１５】
ハンドルハウジング及び第２のハウジングは、ハンドル及び第２のアタッチメントが互いに連結される各第１の横方向側部にて凸状の外側曲線を含むので、ハンドル及び第２のアタッチメントの両方は、顔の脱毛のために良好に取り扱うことができる。
【００１６】
第２のハウジングは、管状である。ハンドルハウジングは、管状である。したがって、両方が合わさると、従来の脱毛用ハウジング形状よりも取り扱いが良好なスリムな細長本体となる。
【００１７】
第１のアタッチメントは、ブラシを第１のハウジングから分離可能に解除する解除ボタンを含む。摩耗部品が、したがって、容易に交換され得る。したがって、交換する必要があるのは、アタッチメント全体ではなく、処理部材だけである。あるいは、各処理部材（マッサージ、角質除去ブラシなど）は、それぞれの別のアタッチメントに連結され得る。
【００１８】
第１のハウジングがブラシの横方向側部を包含するので、ブラシ、又は、他の（交換可能な）処理部材は、移動式の横方向側部の部品を有しておらず、これにより、取り扱いが、より便利であるようになっている。ブラシ、又は、他の処理部材の移動式の側部の部品は、覆われる、つまり、アタッチメントのハウジングの窪み内に埋め込まれる。
【００１９】
第１のアタッチメントのアタッチメント心棒は、第１のアタッチメント中央心棒軸の周りの運動のために配置され、ブラシは、ブラシ中央心棒軸の周りの運動のために配置され、第１のアタッチメント中央心棒軸及びブラシ中央心棒軸は、１００〜１６０°の範囲の角度を包含する。角度範囲は、あるいは１０５〜１４０°であり得る。これによって、人間工学的な取り扱いが容易になる。
【００２０】
第２のアタッチメントのクランプヘッドは、中央心棒軸の周りの駆動運動のために配置された心棒を含み、ハンドルは、ハンドル及び第２のアタッチメントの両方が互いに連結される中央心棒軸に対して傾斜される保持軸を画定する。したがって、クランプヘッドは、両方のハウジングの第１の横方向側部の凸状の曲線と良好に適合するハンドル軸から離れるよう若干屈曲され、顔の脱毛中に人間工学的な取り扱いを容易にする。
【００２１】
ハンドルの駆動装置の駆動軸は、中央心棒軸に沿って延在するか、又は、ハンドル及び第２のアタッチメントの両方が互いに連結される中央心棒軸に平行に延在する。
【００２２】
エネルギー源は、バッテリであり、その細長い方向に長手方向軸を含み、長手方向軸は、駆動装置の駆動軸に対して傾斜される。これは、ハンドルハウジングの全長の短尺化を可能にし、バッテリ及びモータは、互いに角度的に変位される。
【００２３】
一部の実施形態では、脱毛器用アタッチメント、又は、脱毛器は、中央心棒軸の周りの駆動運動のために配置された心棒と、心棒とともの回転のために心棒の第１の端部にて配置され少なくとも第１の機能面を有する端板と、機能面を有する第１のクランプ要素と、を有し、端板の第１の機能面は、第１のクランプ要素の機能面と対面して配置され、第１のクランプ要素は、端板の方に、かつ、その端板から離れるように繰り返し移動されるように配置され、これにより、繰り返し、２つの機能面が互いに当接する閉位置が取得されるようになっており、端板は、脱毛器、又は、脱毛器用アタッチメントの外側部品である。端板は、第１のクランプ要素の機能面と相互作用する第１の機能面を含む（その結果、毛髪をクランプし、最終的にはこれらの毛髪を皮膚から抜くために閉じることができる一対のピンセットが形成される）ので、かつ、脱毛器又は脱毛器用アタッチメントの外側部品であるので、脱毛器、又は、アタッチメントの外縁は、第１の対のピンセットの非常に近くに、即ち、毛髪をクランプすることができる機能面間の第１の間隙の非常に近くに実現することができる。特に、端板は脱毛器、又は、アタッチメントの外面（即ち、ユーザの皮膚と接触することを対象とした外面、換言すると、ハウジング面）と、一対のピンセットの第１の機能面とを含む一体要素（即ち、単体要素）であるので、端板は、作動中に端板上へ印加され得る任意のクランプ力に耐えることができる、構造的に中実の物体を保証するために必要とされるほどに軸方向のみに肉厚であればよい。したがって、端板は、その片側に、脱毛器／アタッチメントの端面、つまり、ハウジング端面、その反対側に、クランプ要素とともに毛髪をクランプする第１の機能面を形成する。クランプ力、は、知られているように、閉状態の一対のピンセットが皮膚に相対的に移動されたときに該毛髪が皮膚から抜かれるときにクランプされた毛髪をクランプ状態に保つものとする。端板は、プラスチック、特に充填プラスチックで作製され得、０．５ｍｍ又は１．０ｍｍの軸方向の最小厚さが、端板の構造安定性を確保するのに十分であり得る。金属から作製された端板がまた、最小厚さを更に低減するために使用され得るが、これは、製造費の増大となり、金属は、皮膚にて冷たく感じられるであろう。
【００２４】
一部の実施形態では、脱毛器、又は、アタッチメントは、軸方向に（即ち、中央心棒軸に少なくとも平行な方向に）に弾性であるばねなどの弾性要素を更に含み、その弾性要素は、一端（端板の遠位）にて心棒に対して軸方向の関係で固定される第１のストッパー要素に当接して配置され、例えば、第１のストッパー要素は、心棒、又は、ハウジングと固定接続される（後者は、心棒が軸方向の移動に対してロックされることを意味する）。弾性要素の他端は、その後、（端板の方に向く）機能面を有する圧力板に当接し得、機能面は、軸方向に延在する突出部を有する。弾性要素は、軸方向の運動に対してストッパー要素によりロックされる間、したがって、軸方向に圧縮されるとき、即ち、圧力板が弾性要素の他端に押し当たるときに、戻り力を供給することができる。
【００２５】
一部の実施形態では、脱毛器、又は、アタッチメントは、少なくとも第１のクランプ要素に関連した第１のアクチュエータを更に含む。第１のアクチュエータは、その後、作動中に圧力板の機能面で少なくとも間欠的に摺り接触するように配置される。端板に遠位の第１のアクチュエータの端部が、したがって、少なくとも圧力板の機能面の軸方向の突出部の一部と摺り接触し得る。第１のアクチュエータは、アクチュエータ軸方向の突出部に関して摺動するときに端板の方へ（かつ、その端板から離れるように）軸方向に可動であるように配置される。第１のアクチュエータは、その後、端板の方へ第１のクランプ要素を移動させて、これにより、対面して配置された端板の第１の機能面、及び第１のクランプ要素の機能面が、軸方向の幅を有する間隙がその機能面に延在する開位置から、その機能面がクランプ接触する閉状態の位置に移動するようになっている。軸方向の突出部は、軸方向に、軸方向の間隙幅より高くなり得、したがって、端板、第１のクランプ要素及び第１のアクチュエータの中実構造体によって、圧力板が軸方向に押し進められて端板から離れ、これによって、次に、弾性要素が圧縮され、したがって弾性要素によって供給された戻り力のために、閉状態の機能面間のクランプ力が増強される。
【００２６】
一部の実施形態では、（軸方向に延在し得る）第１のばね要素が、端板と第１のクランプ要素との間に配置され、これにより、第１のばね要素は、２つの機能面を開位置に保ち、一方、他のいかなる閉力も、第１のばね要素のばね力を克服しないようになっている。第１のばね要素は、弾性要素のばね定数と比較すると相対的に低いばね定数を有し得る。ばね要素は、例えばねコイルばねとして実現され得、かつ、更に、より長い毛髪をコイルばねの巻き部分間でクランプすることができ、したがって、第１のばね要素が毛髪のクランプ及び抜きを支持することができるように配置され得る。
【００２７】
一部の実施形態では、少なくとも第２のクランプ要素が設けられ、該第２のクランプ要素は、端板の第２の機能面とともに対面して配置される機能面を有し得る。端板の第２の機能面は、端板の第１の機能面から円周方向に、任意で、軸方向にも変位され得る。同様に、第２のクランプ要素は、第１のクランプ要素から円周方向に、任意で（開位置で）、軸方向にも変位され得る。第２のクランプ要素は、第２のアクチュエータに関連し得る。一部の実施形態では、第３のクランプ要素が存在し得、更に、第４のクランプ要素が存在し得、任意で、第５のクランプ要素が存在し得るなどする。したがって、クランプ要素の第１の群は、１〜５個のクランプ要素を含み得、更にそのような群は、設けられた第１の群に軸方向に変位され得る。一部の実施形態では、クランプ要素類は、完全な３６０°（潜在的に、製造許容差のために小さい間隙付きで）に跨るように配置され得る。あるいは、クランプ要素類は、角度距離が円周方向に偏位したクランプ要素類間にあるように、３６０°未満に跨るように配置され得、例えば、５つのクランプ要素類のそれぞれは、５０°に跨り得、２２°の距離が、したがって、隣接クランプ要素類の間にあり得る。各クランプ要素は、１対１式で独自のアクチュエータに関連し得る。端板は、したがって、それぞれ、互いから軸方向に変位される、いくつかの機能面を含み、端板の機能面の軸方向の変位は、端板と異なる軸方向の突出部、又は、各機能面について端板の一部の異なる厚さによって提供される。
【００２８】
一部の実施形態では、例えば、軸方向に延在するピンによって少なくともある程度実現され得る軸方向に延在する接続構造体によって、端板に対して軸方向にかつ角度的にロックされ得る閉鎖要素が存在する。一部の実施形態では、軸方向に延在する接続構造体は、２つ以上の軸方向に延在するピンを含み得る。閉鎖要素は、第１のアクチュエータを案内する少なくとも第１の案内構造体を特に有し得し、任意で、閉鎖要素は、各アクチュエータについて案内構造体を有し得る。一部の実施形態では、第１の案内構造体は、軸方向に延在する接続構造体、例えば、軸方向に延在するピンの一部によって実現され得る。
【００２９】
一部の実施形態では、脱毛器、又は、アタッチメントは、軸方向に延在する接続構造体によって、例えば、少なくとも第１の軸方向に延在するピンによって端板に対して軸方向にかつ角度的にロックされ得るセンタプレートを更に含む。そのような実施形態では、閉鎖要素は、軸方向に延在する接続構造体によって、センタプレートに対して軸方向にかつ角度的にロックされ得る。一部の実施形態では、センタプレートは、センタプレートを端板と連結する２つ又は更にはそれ以上の軸方向に延在するピンを有し、軸方向に延在する接続構造体は、したがって、センタプレートで一体式に実現され得る。センタプレートは、少なくとも第１の機能面が設けられる、圧力板の方に向く機能側を有し得る。一部の実施形態では、センタプレートの第１の機能面とともに対面して配置される機能面を有する、第１の更なるクランプ要素が設けられる。第１の更なるアクチュエータが、第１の更なるクランプ要素と関連し得る。前に述べたように、（それぞれ、独自の更なるアクチュエータと関連し得、かつ、それぞれ、センタプレートのそれぞれの機能面とともに対面して配置され得る機能面を有する）更に追加的なクランプ要素類が存在し得、任意で、これらの更なるクランプ要素類のそれぞれは、端板と協働するクランプ要素類について前に述べたように、互いから円周方向に、かつ、任意で、軸方向にも変位され得る。したがって、センタプレートを使用することによって、１つ以上の更なるクランプ要素類の更なる外周構成部を設けることができる。一部の実施形態では、センタプレートは、センタプレートを閉鎖要素と連結する、軸方向に延在するピンによって軸方向にかつ角度的にロックされ得る。そのような組立体では、端板、センタプレート、及び閉鎖要素は、堅く接続されて、クランプ要素類及びアクチュエータの枠組構造を提供する。
【００３０】
一部の実施形態では、少なくとも、第１のクランプ要素及び第１のアクチュエータは、一体要素として製造される。この一体要素は、特にプラスチック射出成形法により製造され得、補強プラスチック材（例えば、ガラス繊維が充填）が使用され得る。
【００３１】
一部の実施形態では、圧力板は、心棒が時計回りに回転するときの心棒周りの第１の角度位置と、心棒が反時計回りに回転するときの心棒周りの第２の角度位置とを有する。これは、固定ハウジングに対して同じ角度位置への両方の回転方向について閉鎖点を移すことを可能にする。
【００３２】
図１Ａは、本開示による脱毛器１の例示的な実施形態の描写である。脱毛器１は、特に、顔面皮膚領域、例えば眉、又は鼻の近くの皮膚領域などの小さい領域の脱毛に好適であり得る。脱毛器１は、クランプヘッド１００を有するアタッチメント１０と、ハンドル２０とを有する。ハンドル２０は、ユーザの手に保持されるように配置され、これにより、そのハンドルは、次いで、保持軸Ｌ（ハンドル２０の長手方向の延在軸と一致）に沿って延在するようになっている。ハンドル２０は、脱毛器１をオン及びオフにし、並びに／又は、ハンドルハウジング２４の第１の横方向側部に配置されたクランプヘッドの回転方向を切り替える（即ち、時計回りの回転と反時計回りの回転との間で切り替わる）スイッチ２１を含み得る。ハンドル２０は、ユーザの親指がスイッチ２１を作動させることができるように保持されることを対象とし得る。エラストマ面２２が、滑り防止特性の強化のためにスイッチ２１の反対側に配置され得る。（第２の顔脱毛）アタッチメントは、管状のハウジング１１を有し得、かつ、クランプヘッド１００の第２の横方向側部１３を覆う保護キャップ１２を更に有し得る。クランプヘッド１００は、アタッチメント１０の第１の横方向側部１４にて毛髪を脱毛するように配置される。一部の実施形態では、アタッチメント１０は保持軸Ｌ対して傾斜される中央軸Ａに沿って延在し得、これにより、作動時、クランプヘッド１００の機能側（即ち、脱毛側）がユーザの皮膚と整合されたとき、ハンドル２０は、その後、皮膚から離れるように突出し、これによって、単一の軸に沿って完全に延在する脱毛器とは対照的に、脱毛器の作動が容易になるようになっている。保持軸Ｌと中央軸Ａとの間の傾斜角Ｗは、約２°〜約３０°の範囲にあり得る。ハンドルハウジング２４の第１の横方向側部２４及びアタッチメント１０の第２のハウジングの第１の横方向側部１４は、凸状の曲線又は膨れ出た曲線を形成する。一部の実施形態では、アタッチメント１０は、ハンドル２０に対して繰り返し分離可能及び装着可能であるように配置され、これにより、アタッチメント１０は、磨耗した場合に新しいアタッチメントに入れ替えることができるか、あるいは、駆動回転若しくは駆動揺動のために配置されるブラシを含み得るブラシアタッチメント、又はマッサージアタッチメント、角質除去アタッチメントなどの別の機能アタッチメントと交換することができるようになっている。アタッチメント１０及びハンドル２０は、それぞれ、協働するスナップ要素（例えば、片側のスナップフック及び反対側の協働する逃げ溝）などの、両方の部品を共に解放可能に連結する、協働する結合構造体も含み得る。スナップ要素は、共にスナップ嵌めされ、かつ、クランプ要素類の回転軸に沿った方向の単純な移動によって（スナップ解除ボタンを押す必要なく）互いから解除され得るハンドルとアタッチメントとの間のスナップ嵌合接続部を提供する。
【００３３】
先の冒頭の一節により、例えば、エラストマ面２２又は保護キャップ１２は、当然、明らかに、当業者によって選択されるか、又は、廃棄され得る特徴部であり、したがって、互いに関連して、又は更には図１Ａに示す全ての他の特徴部に関連して開示されると考えるべきではないと記述されている。そのような特徴部は、本発明の趣旨に影響を与えることさえなく廃棄することができる。以下の何らかの特定の更なる実施例以外には、論じる特徴部の全てについては、個々に開示されると考えられるべきであるとは具体的には示されないことになるが、このことは、当業者に明白であるはずであり、また、本開示全体であれば、事実上判読しがたいものなるからである。
【００３４】
図１Ｂは、図１Ａに示す脱毛器１の長手方向の横断面図である。ハンドル２０は、バッテリ、又は、ＤＣモータなどの駆動装置３１に電気的に結合され得る充電式アキュムレータなどのエネルギー源３０を含み得る。エネルギー源３０の長手方向の延在軸は、保持軸Ｌに平行であり得る。駆動装置３１が、一部の実施形態ではアタッチメント１０の中央軸Ａに並列、又は、その中央軸と全く同じであるドライブ心棒軸Ｂに沿って延在する駆動軸３２（したがって、保持軸Ｌがアタッチメント１０の中央軸Ａ対して傾斜される実施形態では、保持軸Ｌ対して傾斜されることになる）を含み得る。ハンドル２０は、作動時、心棒４０が駆動されて動くように、駆動装置３１の駆動軸３２をアタッチメント１０の心棒４０と連結する歯車装置３３を更に含み得る。心棒４０は、心棒４０が歯車装置３３に結合される心棒コネクタ要素４１を含み得る。ハンドルのハウジングは、アタッチメントハウジング（図２Ｂを参照されたい）のスナップフック１８と係合する、例えば、バネ付勢型スナップフック／スナップ嵌合接続部２５を含み得る。
【００３５】
図２Ａは、分離された状態で示すアタッチメント１０の描写である。図１Ａ及び１Ｂと同じ特徴部は、同じ参照番号によって示される。
【００３６】
図２Ｂは、図２Ａに示すアタッチメント１０を通って切断された長手方向の横断面図である。アタッチメント１０は、中空の本質的に管状のハウジング１１と、クランプヘッド１００と、保護キャップ１２と、図１Ａ及び１Ｂに示すように、アタッチメント１０の中央軸Ａと一致し得る中央心棒軸Ｃを有する心棒４０とを含む。心棒４０は、軸受５０によって支持され、一部の実施形態では、異なる軸方向の位置に位置する少なくとも２つの軸受が、心棒４０の中央心棒軸Ｃの安定化向上のために設けられる。図示する実施例実施形態では、軸受５０は、ロック要素５１によって心棒４０との軸方向の位置関係で固定され、ロック要素は、より詳細に以下で更に説明するように、力の伝達を閉鎖する役目も果たす。更に、軸方向にロックされた軸受５０、５１は、ここでは、第１のストッパー要素の役目も果たす。一部の実施形態では、軸受は、他の場所に配置され得、第１のストッパー要素は、心棒４０上でロックされたロック要素によって実現され得るか、又は、第１のストッパー要素は、ハウジング１１の突出部によって実現され得る。軸方向に（即ち、中央心棒軸Ｃの方向に）弾性である弾性要素６０が、軸受５０上で、ここではロック要素５１とともに第１のストッパー要素を実現する第１の端部と当接する。弾性要素６０は、ばね定数を有する、即ち、弾性要素６０は、軸方向に圧縮されたときに戻り力を供給する。軸方向の弾性要素６０の第２の端部が、圧力板７０の後部に当接する。弾性要素６０は、コイルばね、又は、円盤ばね（又は、円盤ばねのスタック）などのばねによって実現され得る。心棒４０は、中央心棒軸Ｃの周りの駆動回転のために配置され、アタッチメント１０の装着された状態で、心棒４０は、心棒４０が結合要素４１を介して結合され得る駆動装置によって駆動されて回転することができる。
【００３７】
図３Ａは、第１のストッパー要素を実現する軸方向にロックされた軸受５０、弾性要素６０、及び圧力板７０とともに心棒４０上に取り付けられたクランプヘッド１００の例示的な実施形態の側面図である。クランプヘッド１００は、ここでは、端板１１０と、センタプレート１４０と、閉鎖要素１７０とを含む。また、図３Ｂ及び３Ｃを参照すると、クランプヘッド１００は、互いから円周方向及び軸方向に変位される一組の５つのクランプ要素１２０Ａ、１２０Ｂ、など（即ち、第１のクランプ要素、第２のクランプ要素など）を含む。また、更に以下で図４及び６を参照して説明するように、端板１１０は、次に、それぞれ、クランプ要素類１２０の異なる１つの機能面と対面して配置される５つの機能面（即ち、第１の機能面、第２の機能面など）を有する。機能面は、中央心棒軸に本質的に垂直の平面で延在する。図示する実施形態では、端板１１０の５つの機能面は、本質的に３６０°に跨り、これにより、各機能面が、約７２°に跨るようになっている。例えば、端板１１０の第１の機能面及び関連の第１のクランプ要素１２０のそれぞれの機能面は、軸方向に幅を有する間隙が２つの機能面間に延在する開位置と、端板１１０の第１の機能面が第１のクランプ要素の機能面に当接する閉位置とを有する。閉位置で機能面間でクランプされ得る任意の毛髪は、最終的には皮膚から抜かれることになる。端板１１０の機能面は、軸方向に変位して配置され得、これにより、機能面のそれぞれとクランプ要素類のそれぞれの関連の機能面との間隙は、軸方向では重なり合わないか、又は、重なり合うのはある程度のみ、例えば、軸方向の幅の２０％未満であるようになっている。図示する実施形態のクランプヘッド１００は、やはり、互いから円周方向及び軸方向に変位される一組の５つの更なるクランプ要素１５０Ａ、１５０Ｂなど（即ち、第１の更なるクランプ要素、第２の更なるクランプ要素など）を更に含む。以下で図５を参照して説明するように、センタプレート１４０は、次に、やはり円周方向及び軸方向に変位される５つの機能面（即ち、第１の機能面、第２の機能面など）を有し得る。端板１１０の機能面及びクランプ要素１２０Ａ、１２０Ｂなどの機能面を参照して述べた内容の全ては、センタプレート１４０の機能面、及び、更なるクランプ要素１５０Ａ、１５０Ｂなどの機能面に必要に応じて準用するものとする。
【００３８】
更に以下でより詳細に説明するように、各クランプ要素は、アクチュエータに関連し得る（即ち、第１のクランプ要素１２０Ａは、次に、第１のアクチュエータ１３０Ａと、第２のクランプ要素１２０Ｂは、第２のアクチュエータ１３０Ｂと、など、第１の更なるクランプ要素１５０Ａは、第１の更なるアクチュエータ１６０Ａと関連する．．．）。図示する実施形態では、アクチュエータは、閉鎖要素１７０によって案内される棒状要素であり、これにより、アクチュエータは、軸方向に閉鎖要素１７０を越えて圧力板７０の方へ延在するようになっている。また、更に以下（図８）でより詳細に説明するように、圧力板７０は、関連のクランプ要素類に遠位のアクチュエータの端部に対向する機能面を有し得、その端部は、閉鎖要素１７０を越えて延在する。圧力板７０の機能面は、アクチュエータの端部の方へ軸方向に突出する軸方向の突出部７１を有し得る。心棒４０とともに回転されるとき、アクチュエータは、アクチュエータの端部が少なくとも間欠的に圧力板７０の機能面と摺り接触することができるように配置され、特に、軸方向の突出部７１に関して少なくともある程度摺動するように配置される。アクチュエータ、したがって関連のクランプ要素類は、次に、端板１１０（又は、センタプレート１４０）の方へ軸方向に移動され、これにより、それぞれのクランプ要素の機能面は、２つの機能面間の間隙が閉状態になり、対面して配置された機能面が互いに当接するまで、端板１１０（又は、センタプレート１４０）のそれぞれの対面して配置された機能面の方へ移動するようになっている。また、弾性要素６０は、次に、軸方向に圧縮され得、次に、当接する機能面が毛髪をクランプするクランプ力を供給することになる。心棒４０との軸方向の関係で固定され、かつ、弾性要素６０が軸方向に当接する第１のストッパー要素は、次に、力伝達閉鎖機能性を提供する、即ち、第１のストッパー要素は、大きな変形又は破壊なしにクランプ要素類及び端板（又はセンタプレート）の関連の機能面を連続的に閉じるプロセスにおいて発生する力に耐えるように配置される必要がある。
【００３９】
図３Ｂは、クランプヘッド１００の斜視分解図である。一部の実施形態では、第２のストッパー要素４２は、心棒４０と固定接続され、その第２のストッパー要素４２は、一方では、端板１１０が心棒４０のそれぞれの端部と本質的に面一になるように、端板１１０のストッパーを提供し、他方では、心棒４０が駆動されて回転するときに端板１１０の窪みとぴったり合って（あるいは、又は、更に圧力嵌めで）結合し、したがって端板１１０を回転させる役目を果たす係合要素を提供する。一部の実施形態では、端板自体は、心棒上に（例えば、溶接、接着などによって）直接に固定され得るか、心棒と一体であり得るか、又は、いかなる軸方向の運動が事実上抑制されるように、心棒にてストッパー要素によって固定され得る。端板１１０は、一組の円周方向及び軸方向に変位した機能面１１１Ａ、１１１Ｂ、１１１Ｃ、１１１Ｄ及び１１１Ｅを有する（明らかに、１つのクランプ要素のみを有する実施形態であれば、端板は、１つの機能面のみを有することになり、２つのクランプ要素類を有する実施形態では、端板は、互いから円周方向に及び／又は軸方向に変位され得る２つの機能面を有する、など）。第１の機能面１１１Ａの中心より下方には、ばね要素１８０Ａを受容する空洞、又は、窪み１１２Ａが配置され得、同様に、そのような空洞がまた、他の機能面より下方に実現され得る。対向して配置された空洞、又は、窪みの少なくとも１つが、それぞれのばね要素が摺動され得る中央ピンを含み得る。あるいは、少なくとも１つの場合にのみ、そのような中央ピンが、空洞、又は、窪みの代わりに存在し得る。一組の５つのクランプ要素１２０Ａ、１２０Ｂ、１２０Ｃ、１２０Ｄ及び１２０Ｅが配置され、これにより、クランプ要素類のそれぞれの機能面は、端板１１０の機能面の１つと対面して配置されるようになっている。より一般的には、ばね要素が、端板と第１のクランプ要素との間に配置されて、閉力がばね要素の力を克服するまでこれらの部品を開位置に保ち得る。
【００４０】
図６を参照すると、空洞又は窪み１２２Ａが、クランプ要素類のそれぞれの機能面より下方に設けられ得、これにより、この空洞が端板１１０のそれぞれの空洞と対面して（即ち、対向して）配置されるようになっている。各一対の、対向して配置された空洞は、ばね要素１８０Ａ、１８０Ｂなどの１つの端部を受容し得る。ばね要素１８０Ａ、１８０Ｂ、などは、以下に更に説明するように、それぞれのクランプ要素が閉力で付勢されない限り、対面して配置された機能面を開位置に、即ち、軸方向の幅を有する間隙が機能面間に延在する位置に保つために設けられる。軸方向の間隙幅は、約０．０５ｍｍ〜約２．０ｍｍの範囲にあり得る。図示する実施形態では、クランプ要素類１２０Ａ、１２０Ｂ、１２０Ｃ、１２０Ｄ及び１２０Ｅのそれぞれは、それぞれのアクチュエータ１３０Ａ、１３０Ｂ、１３０Ｃ、１３０Ｄ及び１３０Ｅと（１対１の意味で）関連づけられる。
【００４１】
ここでは、クランプ要素類及びそれぞれの関連のアクチュエータは、それぞれ、プラスチック射出成形によって、特に強化プラスチック材料、例えば、グラスファイバ充填プラスチック材から製造され得る一体要素として実現される。これは、一部の実施形態では、クランプ要素類及びそれぞれの関連のアクチュエータの少なくとも一部が、別個の部品として実現されることを除外しないものとする。
【００４２】
センタプレート１４０は、端板１１０と閉鎖要素１７０との間に配置され得る。センタプレート１４０は、一組の５本の軸方向に延在するピン１４８Ａ、１４８Ｂ、１４８Ｃ、１４８Ｄ、及び１４８Ｅを有し得、そのピンのうち、少なくとも１本は、組み付け中に端板のそれぞれの空洞に圧嵌めされるように配置され得る。センタプレート１４０はまた、一組の５本の軸方向に延在する更なるピン１４９Ａ、１４９Ｂ、１４９Ｃ、１４９Ｄ、及び１４９Ｅを有し、そのピンのうち、少なくとも１本は、組み付け中に閉鎖要素１７０のそれぞれの空洞に圧嵌めされるように配置される。各軸方向に延在する（更なる）ピンは、２つの隣接（更なる）クランプ要素類の側方の半円切り抜き部と協働するように配置され、したがって、（更なる）クランプ要素類の案内構造体の役目も果たす。センタプレート１４０は、したがって、図示する実施例実施形態では、センタプレートを閉鎖要素と、センタプレートを端板と接続する軸方向に延在する、軸方向に延在する接続構造体と一体式に実現される。一部の実施形態では、軸方向に延在する（更なる）ピンは、端板（閉鎖要素）と一体式に実現され得、一方、一部の実施形態では、軸方向に延在するピンは、別個の部品として配置され得る。一部の実施形態では、軸方向に延在する（更なる）ピンの少なくとも１つは、端板又はセンタプレート（閉鎖要素）と一体式に実現され得、少なくとも１本の軸方向に延在するピンが、別個の部品であり得る。
【００４３】
端板１１０及びクランプ要素類１２０Ａ〜１２０Ｅの組み付けについて説明したように、センタプレート１４０は、一組の５つの更なるクランプ要素類１５０Ａ、１５０Ｂ、１５０Ｃ、１５０Ｄ、及び１５０Ｅのそれぞれの機能面と対面して配置される、５つの互いから軸方向及び円周方向に変位した機能面を含み得る。ばね要素１９０Ａ、１９０Ｂなどが、やはり、機能面より下方に（即ち、それぞれの機能面よりも心棒４０に近い半径方向の位置に）実現された（潜在的に円形の）空洞（中央ピンを特に含み得る）内で受容され、対面して配置された機能面が、それぞれの更なるクランプ要素がクランプ力で付勢されない限り、軸方向の幅を有する間隙が機能面間に延在する開位置に保たれるようになっている。やはり、更なるクランプ要素類１５０Ａ、１５０Ｂ、１５０Ｃ、１５０Ｄ、及び１５０Ｅのそれぞれは、１つの更なるアクチュエータ１６０Ａ、１６０Ｂ、１６０Ｃ、１６０Ｄ、及び１６０Ｅに関連し、やはり、更なるクランプ要素類及び関連のアクチュエータは、別個の要素である代わりに、それぞれの場合に一体要素として実現され得る。更なるクランプ要素類のこの組は、一組のクランプ要素類に円周方向に偏位し（ここでは３６°の角度、即ち、クランプ要素の半分の角度幅で）、これにより、アクチュエータ及び更なるアクチュエータは、代替的に、円周方向に配置されるようになっている。
【００４４】
閉鎖要素１７０は、アクチュエータ類及び更なるアクチュエータ類を案内する１０個の本質的に矩形の、かつ、軸方向に延在する案内構造体１７１Ａ、１７１Ｂなど及び１７２Ａ、１７２Ｂ、などを含む。一部の実施形態では、アクチュエータの少なくとも１つは、長方形断面の代わりに円形、楕円形、三角形などの横断面を有する。一部の実施形態では、少なくとも２つのアクチュエータは、異なる断面形態を有する。アクチュエータ及び更なるアクチュエータの長さは、付勢されない状態において、同じ軸方向の位置に（即ち、閉鎖要素を越えて圧力板の方に）全く延在するように選ばれる。
【００４５】
図３Ｃは、心棒４０上に取り付けられた、組み付けられたクランプヘッド１００の長手方向の横断面である。図３Ａ及び３Ｂで説明したのと同じ特徴部は、同じ参照番号が割り当てられる。
【００４６】
更に以下で更に詳細に説明するように、圧力板７０は、心棒が駆動されて回転するときに心棒の周りに一定の角位置を有し、したがって、圧力板７０は、心棒とともに回転しない（圧力板７０は、回転が時計回りの方向に生じるときには、回転が反時計回りの方向に生じるときと異なる角位置を有するように配置され得、これにより、圧力板７０の心棒周りの特定の回転自由度を与えることができるようになっている）。図８とともに図３Ａからわかるように、圧力板７０上の軸方向の突出部７１の外周位置は、クランプ要素類が開放位置から閉状態の位置に移動される位置を決定し、閉状態の位置では、クランプ要素類及び端板のうちの一方の（又は、更なるクランプ要素類及びセンタプレートのうちの一方の）対面して配置された機能面は、互いに当接する。軸方向の突出部７１は、中央平坦域セクション７１Ａと、平坦域セクション７１Ａの２つの外周側にて配置される２つの傾斜セクション７１Ｂ及び７１Ｃとを有する。先に述べたように、アクチュエータ１３０Ａ、１３０Ｂなど、及び１６０Ａ、１６０Ｂなどの軸方向の端部１３１Ａ、１３１Ｂ．．．、及び１６１Ａ、１６１Ｂなど、は、圧力板７０の機能面７２と少なくとも間欠的に摺動係合するように配置される、即ち、アクチュエータの端部は、少なくとも回転方向によっては軸方向の突出部７１の、それぞれ、傾斜セクション７１Ｂ及び７１Ｃのうちの１方と摺り接触し始める。一部の実施形態では、アクチュエータの端部は、常に圧力板の機能面７２と絶えず摺り接触し得、一方、他の実施形態では、アクチュエータの軸方向の端部は、システムにおける摩擦によるエネルギー損失を低減するために、軸方向の突出部７１の外側で機能面７２と摺り接触しないように配置され得る。したがって、第１のアクチュエータ１３０Ａの遠位端１３１Ａが傾斜セクション７１Ｂと摺り接触したとき、第１のアクチュエータ１３０Ａは、端板１１０の方へ移動され、それによって、関連の第１のクランプ要素１２０Ａを第１のばね要素１８０Ａの付勢力に対して端板１１０の方へ移動させる。典型的には、アクチュエータ１３０Ａの軸方向の端部１３１Ａが平坦域セクション７１Ａに到達する前、第１のクランプ要素１３０Ａの対面して配置された機能面及び端板１１０の第１の機能面は、閉位置にある、即ち、互いに当接する。アクチュエータが傾斜セクション７１Ｂ（又は、７１Ｃ）に沿って平坦域セクション７１Ａの方へ更に移動するとき、圧力板は、弾性要素６０（図３Ａを参照）の方に押し進められ、弾性要素は、圧縮され、したがって、クランプ力が増強され、クランプ力は、その後、第１のアクチュエータ１３０Ａの軸方向の端部１３１Ａが平坦域セクション７１Ａに関して摺動する間は一定である。閉状態の機能面間にクランプされた毛髪は、若干機能面を押し開けることになり、これによって、弾性要素６０の更なる圧縮が生じ、したがって、クランプ力が更に増大する。対面して配置された機能面は、第１のアクチュエータ１３０Ａの端部１３１Ａが平坦域セクション７１Ａに関して摺動する限り、閉位置にある。平坦域セクション７１Ａは、クランプヘッドが皮膚に対して回転する間に機能面間にクランプされた毛髪が皮膚から抜かれるように選択される角度範囲に跨る。機能面は、第１のアクチュエータ１３０Ａの軸方向の端部１３１Ａが第２の傾斜セクション７１Ｃ（又は、７１Ｂ）に沿って下方に摺動するときにやはりばね要素１８０Ａのばね力によって開かれ、開力は、閉力よりも大きくなる（又は、閉力は消える）。
【００４７】
図４は、端板１１０の例示的な実施形態の機能側の斜視図である。端板１１０は、機能側の半径方向の外縁上に配置された第１の機能面１１１Ａを有する。第１の機能面１１１Ａより下方に半径方向に、端板１１０と第１のクランプ要素１３０Ａ（図６を参照）との間に配置された第１のばね要素を受容する第１の空洞１１２Ａが設けられ、これにより、第１のクランプ要素１３０Ａの機能面が、第１のクランプ要素１３０Ａが端板１１０の方へクランプ力で付勢されない限り、端板１１０の第１の機能面１１１Ａまで距離を保つようになっている。図４に示すように、第１の空洞は、第１のばね要素１８０Ａを保持し及び／又は中央に置く中央軸方向に延在する突出部を有し得る。端板１１０はまた、センタプレート１４０（図５を参照）の軸方向に延在するピン１４８Ａを受容する第１のピン空洞１１３Ａを有し得る。明らかに、ピン空洞（又は、ピン空洞類）は、任意であり、更に、設けられた場合、ピン空洞（空洞類）はまた、ピン（ピン類）を閉鎖要素から受容し得る。端板１１０は、一部の実施形態では、特に、端板１１０の半径方向の外縁にて円周方向に変位して配置され得る２つ以上の機能面１１１Ａ、１１１Ｂ．．．を有し得、機能面は、任意で（代替的に、又は、追加的に）異なる軸方向のレベル上に配置され得る、即ち、機能面は、軸方向に変位して配置される。図示する例示的な実施形態では、端板１１０は、５つの機能面１１１Ａ、１１１Ｂ、１１１Ｃ、１１１Ｄ、１１１Ｅと、ばね要素を受容するそれぞれ５つの空洞１１２Ａ〜１１２Ｅと、また、５つのピン空洞１１３Ａ〜１１３Ｅとを有する。機能面はそれぞれ７２°の角度幅に跨り得るが、各機能面は、例えば、異なる軸方向のレベル間の９０°壁部を許容しない製造上の理由のために、事実上、より小さい角度幅（例えば６０°）に跨り得るにすぎない。一部の実施形態では、機能面は、異なる角度幅に跨り得る。
【００４８】
図５は、本開示による脱毛器、又は、脱毛器用アタッチメントの一部の実施形態において使用され得るセンタプレート１４０の例示的な実施形態の斜視図である。センタプレート１４０は、特に一組の更なるクランプ要素の使用を容易にするために使用され得る。センタプレート１４０は、端板１１０（図４を参照）のそれぞれのピン空洞１１３Ａによって受容されるように配置された端部セクションを有する、第１の軸方向に延在するピン１４８Ａを有し得る。センタプレート１４０は、特に、端板１１０のそれぞれのピン空洞によって受容されるように配置された端部セクションを有する、２つ以上の軸方向に延在するピン１４８Ａ、１４８Ｂなどを有し得る。図示する実施形態では、センタプレート１４０は、５本の軸方向に延在するピン１４８Ａ〜１４８Ｅを有する。軸方向に延在するピンの端部セクションの少なくとも１つ及びそれぞれのピン空洞は、圧嵌めのために配置され得、これにより、端板１１０及びセンタプレート１４０が、組み付けられた状態で相対的な強力に共に接合されるようになっている。センタプレート１４０は、閉鎖要素（図７を参照）のそれぞれの空洞１７３Ａによって受容されるように配置された端部セクションを有する、第１の軸方向に延在する更なるピン１４９Ａを追加的に有し得る。やはり、センタプレート１４０は、特に、少なくとも１つが閉鎖要素のそれぞれのピン空洞によって受容されるように配置され得る端部セクションを有する、２つ以上の軸方向に延在する更なるピン１４９Ａ、１４９Ｂなどを有し得る。図示する実施形態では、センタプレート１４０は、５本の軸方向に延在する更なるピン１４９Ａ〜１４９Ｅを有する。利用可能な構造容積によっては、１つ又はいくつかの更なるセンタプレートが、更により多くの組の更なるクランプ要素類を容易にするように順番に配置され得ることに留意されたい。
【００４９】
上述した軸方向に延在する（更なる）ピンは、端板に対して閉鎖要素を軸方向に及び角度的にロックする、軸方向に延在する接続構造体の一部であると述べている。図示しかつ説明したように、軸方向に延在する接続構造体はまた、端板と閉鎖要素との間に配置されたセンタプレートを、軸方向に及び角度的にロックし得る。一部の実施形態では、端板を閉鎖要素と、又は、端板をセンタプレートと、及び、センタプレートを閉鎖要素と接続する、軸方向に延在する接続構造体は、端板、センタプレート、及び／又は閉鎖要素の少なくとも１つと一体式に実現される代わりに、個々の軸方向に延在するピンとして実現され得る。一部の実施形態では、少なくとも１つの軸方向に延在するピンが、一体要素として実現され得、少なくとも１つの軸方向に延在するピンが、個々の（即ち、別個の）ピンとして実現され得る。
【００５０】
センタプレート１４０は、第１の機能面１４１Ａをセンタプレート１４０の機能側の半径方向の外縁にて含み得、第１の機能面１４１Ａは、第１の更なるクランプ要素１５０Ａ（図３Ａ〜３Ｃを参照）の機能面と対面して配置され得る。センタプレート１４０は、互いから円周方向及び／又は軸方向に変位され得る２つ以上の機能面１４１Ａ、１４１Ｂなどを特に含み得る。端板について説明したように、センタプレート１４０は、ばね要素１９０Ａ、１９０Ｂなど（図３Ｂを参照）を受容するために機能面より下方に半径方向にそれぞれ配置された、１つ以上の空洞１４２Ａ、１４２Ｂなどを含み得る。
【００５１】
図６は、第１のクランプ要素１２０Ａ及び第１のクランプ要素１２０Ａに関連した第１のアクチュエータ１３０Ａの斜視図である。図示する実施形態では、第１のクランプ要素１２０Ａ及び第１のアクチュエータ１３０Ａは、例えば、特に充填プラスチック材料が使用され得るプラスチック射出成形法によって一体式に製造される。他の実施形態では、第１のアクチュエータは、第１のクランプ要素とは別個である。第１のクランプ要素１２０Ａは、組み付けられたクランプヘッド１００（図３Ａ〜３Ｃを参照）では、端板１１０（図４を参照）の第１の機能面１１１Ａと対面して配置される機能面１２１Ａを有する。第１のクランプ要素１２０Ａは、ばね要素１８０Ａ（図３Ｂ、３Ｃを参照）の端部を受容する空洞１２２Ａを含み得る。第１のクランプ要素１２０Ａは、切り抜き部１２３Ａ及び１２４Ａを第１のクランプ要素１２０Ａの円周側にて含み得、切り抜き部１２３Ａ、１２４Ａは、例えば、ほぼ半円の形状を有し得る。切り抜き部１２３Ａ、１２４Ａは、第１のクランプ要素１２０Ａの安定化及び／又は半径方向の誘導のために、軸方向に延在するピンを受容し得る。第１のアクチュエータ１３０Ａは、第１のクランプ要素１２０Ａに遠位である端部１３１Ａを有する。この遠位端１３１Ａは、図３Ａ〜３Ｃ及び図８を参照して説明したように、少なくとも、圧力板７０の機能面７２との間欠的な摺り接触のために、組み付けられたクランプヘッド内に配置される。
【００５２】
図７は、閉鎖要素１７０の例示的な実施形態の前側の斜視図であり、前側は、クランプヘッドの組み付けられた状態でセンタプレートに対面する（又は、センタプレートのない実施形態では、端板に対面する）側である。閉鎖要素１７０は、センタプレート又は端板によって設けられた軸方向に延在するピンを受容する１つ以上のピン空洞１７３Ａ、１７３Ｂなどを含み得る。明らかに、この構成はまた、逆にされ得、閉鎖要素１７０は、軸方向に延在するピンを有し得るか、又は、ピン空洞及び軸方向に延在するピンの組合せを有し得る。閉鎖要素１７０は、第１のアクチュエータ１３０Ａを受容及び案内する本質的に矩形の横断面を有し得る、少なくとも第１の軸方向に延在する案内構造体１７１Ａを有し得る。閉鎖要素１７０は、アクチュエータ１３０Ａ、１３０Ｂなどを受容する２つ以上の軸方向に延在する案内構造体１７１Ａ、１７１Ｂ、などを有し得る。一部の実施形態では、閉鎖要素１７０は、軸方向に延在する案内構造体１７１Ａ、１７１Ｂなどとともに代替的に配置され得る更なる軸方向に延在する案内構造体１７２Ａ、１７２Ｂ、などを含み得る。一部の実施形態では、閉鎖要素１７０は、軸方向に延在する案内構造体１７１Ａ、１７１Ｂなどとともに代替的に配置され得る、更なる軸方向に延在する案内構造体１７２Ａ、１７２Ｂ、などを含み得る。軸方向に延在する案内構造体１７１Ａ、１７２Ａ、１７１Ｂ、１７２Ｂ、などは、組み付けられた状態で、心棒と同軸に配置され得る。軸方向に延在する案内構造体は、それぞれのアクチュエータが本質的にいかなる隙間なしで案内されるように、特に寸法決定され得る。軸方向に延在する案内構造体（並びに閉鎖要素全体、並びに／又はクランプ要素類、アクチュエータ及びセンタプレートなどのクランプヘッドの他の移動若しくは案内構成部品）を画定する壁部は、任意でポリテトラフルオロエチレン（ＰＴＦＥ）などの低摩擦（すなわち自己潤滑性）材料から作製され得る。
【００５３】
図９Ａ及び９Ｂは、脱毛器及び脱毛器用アタッチメントのハウジング１１の内側に取り付けられた圧力板７０の機能面７２の図を示し、図９Ａは、時計回りの方向Ｒ１（時計回りはここでは図の方向に対して定義される）の心棒４０の（及び、したがって、またクランプヘッドの）回転に関する圧力板７０の角度位置を示し、図９Ｂは、心棒４０の反時計回り方向の場合の圧力板７０の角度位置を示す。先に説明したように、脱毛器は、時計回りの回転と反時計回りの回転との間で切り替わるスイッチを有し得る。これによって、次に、クランプ機能性を保ちながら右手から左手に、及びその逆に脱毛器を切り替えることが可能である。圧力板７０は本質的に心棒４０と結合されず、したがって、心棒４０とともに必ずしも回転をするというわけではないが、機能面７２とアクチュエータの遠位端部との間の摩擦は、回転するように圧力板を駆動する。対面して配置された機能面の角度閉位置は脱毛器のハウジングに対して固定されるものとするので、圧力板７０は、ハウジング１１にて設けられたそれぞれの第１のストッパー要素１１Ａと協働して圧力板７０の更なる回転を停止させるストッパー要素７３を有する。反時計回りの場合、図９Ａに示す角度位置に圧力板７０が固定されれば、閉位置の円周方向への移動が生じることになり、閉鎖が発生するのは、アクチュエータが第２の傾斜セクション７１Ｃに関して摺動するときではなく、アクチュエータが第１の傾斜セクション７１Ｂに関して摺動するときになるからである。したがって、ハウジング１１は、圧力板の異なる角位置にて、圧力板７０のストッパー要素７３と協働する第２のストッパー要素１１Ｂを有し、これにより、対面して配置された機能面の閉鎖点は、ハウジング１１に対して同じ角度位置にて起こるようになっている。圧力板７０は、したがって、第１の角度位置と第２の角度位置との間で移動されるように配置される。図９Ａ及び図９Ｂを参照して論じる特定の特徴部はまた、本開示で論じる他の特徴部から独立したものと、したがって、更なる態様を表すと考えられるものとする。
【００５４】
図１０は、連結された第１、第３、又は、第４のアタッチメント８０Ａ（ブラシ処理部材を含む）、８０Ｂ（マッサージ処理部材を含む）、又は、８０Ｃ（角質除去処理部材を含む）を有するハンドル２１の概略側面図である。処理部材は、図１０では、破線のボックス８１によって概略的に視覚化されるのみである。特定の処理要素を図１２Ａ〜１２Ｃに示す。処理部材８１は、ハンドルのオン／オフスイッチ２１の側と同じハウジング側であるアタッチメントのハウジング８３の第１の横方向側部８２にて配置される。処理部材は、その側壁に対して、処理部材８１の下側の受容のためにアタッチメントハウジング８３内の窪みを形成する突出壁部８４内に埋め込まれる。第１のアタッチメント中央心棒軸Ａ（全てのアタッチメントについて同じ）及びブラシ中央心棒軸Ｘは、１００〜１６０の角度を包含するか、又は、１０５（又は１１０）〜１４０°である。
【００５５】
図１１は、互いに連結されたハウジングの両方の第１の横方向側部の凸状の湾曲部も例示する、連結された第２のアタッチメントを有するハンドルの概略側面図である。同じ参照番号は、同じ要素を指す（図１Ａを参照されたい）。
【００５６】
図１２Ａは、突出ブラシ毛房を有するブラシ処理部材９０の概略側面図である。ブラシ９２の下部支持構造体及び側壁は、アタッチメントハウジング８３のハウジング側壁８４によって覆われる。
【００５７】
図１２Ｂは、例えば、マッサージ部材９４のためにエラストマ、又は、ブラシ毛、又は、両方の種類が結合されたマッサージ処理部材９３の概略側面図である。
【００５８】
図１２Ｃは、例えば、パッド構造体９６であり得る角質除去処理部材９５の概略側面図である。
【００５９】
一部の実施形態では、圧力板は、プラスチック基材及び金属板から作製され得、金属板は、圧力板の機能面の少なくとも一部を実現し、これにより、圧力板の機能面は、向上した耐摩耗性（より高い製造費によりバランス調整）を有するようになっている。クランプシリンダを含む脱毛器／脱毛器用アタッチメントの圧力板をそのような方法で製造することは、本開示の独立した態様と考えられ得る。
【００６０】
他の特徴部に関連して特徴部として説明され得る本開示の一部の態様は、実際、本開示の個々の態様と考えられ得る。これは、例えば、ハンドルの保持軸とアタッチメントの中央軸との間の傾斜角に関する。先に論じたように、そのような傾きは、特に脱毛器が脱毛器ヘッドの側面への（即ち、脱毛器の側方側での）クランプ作用を提供するクランプヘッドを含む場合に、脱毛器の使用を容易にする。これはまた、心棒が時計回りに回転するか、反時計回りに回転するかに応じて、心棒の周りで異なる角度位置を有するための圧力板の配置に関する。
【００６１】
したがって、更に独立した態様により、脱毛器は、ユーザの手に保持されるハンドルと、ヘッドセクションとを含み、ヘッドセクションは、心棒の中央軸の周りの駆動回転のために配置されたクランプヘッドを含む、分離可能なアタッチメントとして任意で配置され得、ハンドルは、心棒の中央軸に対して傾斜される保持軸を画定し、傾斜角は、約１°〜約４５°の範囲にあり得る。本開示において説明する全ての他の特徴部は、この態様に追加され得る。
【００６２】
したがって、更に独立した態様により、脱毛器、又は、脱毛器用アタッチメントは、圧力板を含み、圧力板は、心棒が時計方向の回転へ駆動されたときの心棒の周りの第１の角度位置と、心棒が反時計回りの回転へ駆動されたときの第２の角度位置とを有するように配置される。本開示において説明する全ての他の特徴部は、この態様に追加され得る。
【００６３】
本開示において説明する全ての他の特徴部は、少なくとも、これがこれらの独立した態様の範囲及び趣旨に反しないという範囲でここで説明する独立した態様に個別に又は集合的に追加され得ることに留意されたい。
【００６４】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」と開示された寸法は、「約４０ｍｍ」を意味するものである。
【図１Ａ】
2016515457.tif 000003
【図１Ｂ】
2016515457.tif 000004
【図２Ａ】
2016515457.tif 000005
【図２Ｂ】
2016515457.tif 000006
【図３Ａ】
2016515457.tif 000007
【図３Ｂ】
2016515457.tif 000008
【図３Ｃ】
2016515457.tif 000009
【図４】
2016515457.tif 000010
【図５】
2016515457.tif 000011
【図６】
2016515457.tif 000012
【図７】
2016515457.tif 000013
【図８】
2016515457.tif 000014
【図９Ａ】
2016515457.tif 000015
【図９Ｂ】
2016515457.tif 000016
【図１０】
2016515457.tif 000017
【図１１】
2016515457.tif 000018
【図１２Ａ】
2016515457.tif 000019
【図１２Ｂ】
2016515457.tif 000020
【図１２Ｃ】
2016515457.tif 000021
【国際調査報告】
2016515457.tif 000022
2016515457.tif 000023
2016515457.tif 000024